(57)【要約】【課題】異音の発生を防止できるとともに、制動力調整機構を備えて制動力を調整操作して閉戸動作時に引戸が縦枠に当接するときの最大制動力を適切に設定できる上吊式の戸の制動装置を提供すること。【解決手段】上吊式の戸の制動装置１Ａは、閉戸動作時及び開戸動作時に被傾斜ガイド４２が傾斜ガイド１３に係合案内され制動部ケース４１が上下動し、制動力付与部材３０と当接している摺接ブロック４３がばね４４から受ける力が変化して当接力の増減調整が行われる。閉戸動作工程では制動力付与部材３０に当接開始後の閉戸動作に応じて当該当接力を増大させながら制動力付与部材３０と摩擦摺動して一定の制動力を得るように構成される。開戸動作工程では摺接ブロック４３が制動力付与部材３０と当接している間、当接力を減少させ制動力が減少する。制動力調整機構５０Ａは、被傾斜ガイド４２が傾斜ガイド１３に係合案内されて制動部ケース４１が高くなる側への該制動部ケース４１の移動端の位置を調整し得る。【選択図】  図２
2010090550.tif 000002
【特許請求の範囲】
【請求項１】
下側に開口した略Ｃ形チャンネル状をなすレール内を走行するランナと、
前記ランナより前記開口を通して垂下される吊軸に支持され戸に固定される取付部と、
前記レールの内側天面の閉戸側の所定位置に固着される制動力付与部材と、
ランナ本体に形成された上下に貫通した制動部収納孔内を移動可能に設けられ前記制動力付与部材に当接して制動力を得る制動部と、を備え、
前記制動部が、
前記制動部収納孔内に摺動可能に収容された上端が開口した制動部ケースと、
前記ランナ本体に形成された閉戸方向側が低く開戸側が高くなるように傾斜した傾斜ガイドと、
前記制動部ケースに設けられ前記傾斜ガイドに係合案内される被傾斜ガイドと、
前記制動部ケースに上下動可能・脱出不能に収容され前記制動部ケースより突出する上面が前記制動力付与部材の下面を摺動する摺接ブロックと、
前記制動部ケース内に収容され前記摺接ブロックを上方へ押出すように該摺接ブロックを付勢するばねと、
を備えてなる上吊式の戸の制動装置において、
前記被傾斜ガイドが前記傾斜ガイドに係合案内されて前記制動部ケースが高くなる側への該制動部ケースの移動端の位置を調整し得る制動力調整機構を前記ランナ本体に備えた、
ことを特徴とする上吊式の戸の制動装置。
【請求項２】
前記制動力調整機構は、前記制動部ケースの開戸側側面に対向するスライドシャフトと、前記レールの下方に開口に臨んで設けられ前記スライドシャフトを前記制動部ケースの開戸側側面に当接させ該制動部ケースの開戸方向の移動端の位置を調整できる手動調整部と、を備えた構成である、
ことを特徴とする請求項１に記載の上吊式の戸の制動装置。
【発明の詳細な説明】
【技術分野】
【０００１】
本発明は、レールに懸吊されて走行するランナに取付けられた戸の閉戸時及び開戸時に、戸の開閉速度を減少させ静かに開閉するように戸に制動を掛けられる上吊式の戸の制動装置に関する。
【背景技術】
【０００２】
従来、レールを走行するランナに引戸が懸吊されて開閉する上吊式の引戸装置が提案されている。上吊式の引戸装置は、下方に開口した略Ｃ形チャンネル状をなすレールの下端縁部内側を転動する走行ローラを有するランナと、ランナに連結され引戸に固定される取付部と、引戸の動きに応じて制動力を発生する制動部とを備えてなる。
上記構成の上吊式引戸装置は、引戸を円滑にかつ軽快に開閉することができる反面、勢いよく閉めると、引戸が縦枠に衝突し、その反動で跳ね返ることがあるので、引戸が縦枠に当接する直前に制動力を発生させて引戸の跳ね返りを防止する上吊式の戸の制動装置が提案されている（例えば、特許文献１及び２）。
【０００３】
上吊式の戸の制動装置は、車輪を備えたランナ本体に接触しないようにレールの内側天面の所定位置に固着される制動力付与部材と、ランナに設けられて制動力付与部材に当接して制動力を得る制動部本体とを備えてなり、戸が縦枠に当接する直前区間（閉戸動作時の閉止寸前の位置）で当接体が制動力付与部材に当接し制動力（摩擦力）を発生させて戸の跳ね返りを防止する構成である。
【０００４】
特許文献１に開示された上吊式の戸の制動装置は、制動体が、中空ブロックと、ばねにより飛び出すように付勢された当接体と、ブレーキゴムとを備えてなる。この上吊式の戸の制動装置は、閉戸動作時に発生させる制動力の大きさを調整ねじを回動調整することにより調整することができる長所がある反面、開戸動作時に、制動体の当接体と制動力付与部材との当接が解除されるが、このときに、制動体が踊ってしまい、異音を発生するという問題があった。
【０００５】
特許文献２に開示された上吊式の戸の制動装置は、特許文献１に開示された上吊式の戸の制動装置の異音の発生を解消することを目的に開発されたものであり、レールの内側天面の閉戸側の所定位置に固着される制動力付与部材と、ランナ本体に形成された制動部収納穴内を移動可能に設けられ前記制動力付与部材に当接して制動力を得る制動部とを備えてなり、制動部は、制動部ケースと、ガイド傾斜穴（傾斜ガイド）と、ガイド傾斜穴に係合案内されるガイドリブ（被傾斜ガイド）と、制動部ケースに収容された当接部（摺接ブロック）と、摺接ブロックを付勢するばねとを備えてなる。
【０００６】
特許文献２に開示された上吊式の戸の制動装置は、閉戸動作時及び開戸動作時に制動部ケースが上下動することにより、制動力付与部材と当接している摺接ブロックがばねから受ける力が変化して当接力の増減調整が行われ、閉戸動作工程では前記制動力付与部材に当接開始後の閉戸動作に応じて当該当接力を増大させながら制動力付与部材と摩擦摺動して一定の制動力を得るように構成され、かつ開戸動作工程では前記制動力付与部材と当接している間、前記当接力を減少させ前記制動力が減少するように構成されている。
【０００７】
特許文献２に開示された上吊式の戸の制動装置は、開戸動作工程では制動力付与部材と当接している間、当接力を減少させ制動力が減少するように構成され、特許文献１に開示された上吊式の戸の制動装置において問題となっている異音の発生を解消している。
【０００８】
【特許文献１】特開平１１−１４８２６９号公報
【特許文献２】特開２００６−２０７２３２号公報
【発明の開示】
【発明が解決しようとする課題】
【０００９】
しかしながら、特許文献２に開示された上吊式の戸の制動装置は、異音の発生を防止できるが、戸の大きさ、重さ、その他使用状況に合わせて制動力を調整することができなかった。
【００１０】
本発明は、上述した点に鑑み案出されたもので、その目的は、異音の発生の防止と、制動力調整機構を備えて制動力を調整操作して閉戸動作時に戸が縦枠に当接するときの最大制動力を適切に設定することができる上吊式の戸の制動装置を提供することにある。
【課題を解決するための手段】
【００１１】
上記課題を解決するため、本発明の上吊式の戸の制動装置は、下側に開口した略Ｃ形チャンネル状をなすレール内を走行するランナと、
前記ランナより前記開口を通して垂下される吊軸に支持され戸に固定される取付部と、
前記レールの内側天面の閉戸側の所定位置に固着される制動力付与部材と、
ランナ本体に形成された上下に貫通した制動部収納孔内を移動可能に設けられ前記制動力付与部材に当接して制動力を得る制動部と、を備え、
前記制動部が、
前記制動部収納孔内に摺動可能に収容された上端が開口した制動部ケースと、
前記ランナ本体に形成された閉戸方向側が低く開戸側が高くなるように傾斜した傾斜ガイドと、
前記制動部ケースに設けられ前記傾斜ガイドに係合案内される被傾斜ガイドと、
前記制動部ケースに上下動可能・脱出不能に収容され前記制動部ケースより突出する上面が前記制動力付与部材の下面を摺動する摺接ブロックと、
前記制動部ケース内に収容され前記摺接ブロックを上方へ押出すように該摺接ブロックを付勢するばねと、
を備えてなる上吊式の戸の制動装置において、
前記被傾斜ガイドが前記傾斜ガイドに係合案内されて前記制動部ケースが高くなる側への該制動部ケースの移動端の位置を調整し得る制動力調整機構を前記ランナ本体に備えた、
ことを特徴とする。戸には、折戸、間仕切用仕切戸及び引戸等が含まれる。
【００１２】
従って、上記構成によれば、被傾斜ガイドが傾斜ガイドに係合案内されて制動部ケースが高くなる側への該制動部ケースの移動端の位置を調整し得る制動力調整機構をランナ本体に備えている。従って、制動力調整機構を調整することにより、ランナ本体の制動部収納孔内における制動部（制動部ケース）の開戸方向に移動し当接停止する位置を可変設定できるので、戸の大きさ、重さ、その他使用状況に合わせ、制動力調整機構を手動により調整することにより制動力を大きく又は小さくすることができる。
制動力を大きくしたい場合には、ランナ本体の制動部収納孔内における制動部の制動力調整機構による開戸方向の当接停止位置を開戸方向側に寄って設定する。すると、閉戸動作時に、摺接ブロックの制動部ケースからの突出高さが大きくなる位置で該制動部ケースが制動力調整機構により当接停止されるから、摺接ブロックと制動力付与部材との摩擦抵抗がおおきくなり制動部に大きな制動力が得られる。
反対に、制動力を小さくしたい場合には、制動部の開戸方向の当接停止位置を閉戸側に寄って設定する。すると、閉戸動作時に、摺接ブロックが制動部ケースから小さく突出した位置で該制動部ケースが制動力調整機構により当接停止されるから、摺接ブロックと制動力付与部材との摩擦抵抗が小さくなり制動部に小さな制動力が得られる。
一方、制動力調整機構は開度動作時には機能を発揮しない。
【００１３】
上記構成によれば、制動力調整機構を備えたので、従来以上に、戸を一層円滑かつ軽快に開閉することができ、戸が縦枠に当接する直前に制動力が発生して戸が縦枠に勢いよく衝突することを一層適切に防止でき、戸の反動で跳ね返ることを防止できる。
【００１４】
制動力調整機構については、前記制動部ケースの開戸側側面に対向するスライドシャフトと、前記レールの下方に開口に臨んで設けられ前記スライドシャフトを前記制動部ケースの開戸側側面に当接させ該制動部ケースの開戸方向の移動端の位置を調整できる手動調整部と、を備えた構成とすることが好ましい。
この構成にすると、部品点数が少なく組立が容易なメカニカル機構を実現でき、製作コストを低く抑えられ、故障が少ない制動力調整機構を実現できる。
【発明の効果】
【００１５】
本発明によれば、異音の発生を防止でき、制動力調整機構を備えて戸の大きさ、重さ、その他使用状況に合わせて制動力を調整操作して閉戸動作時に戸が縦枠に当接する直前に最大に発生する最大制動力を適切に設定することができる。
従って、本発明によれば、戸を一層円滑かつ軽快に開閉することができ、戸が縦枠に当接する直前に制動力が発生して戸が縦枠に勢いよく衝突することを一層適切に防止できる。
【発明を実施するための最良の形態】
【００１６】
本発明の上吊式の戸の制動装置に係る実施形態について図面を参照して説明する。
【００１７】
〔第１の実施形態〕
図１は上吊式の戸の制動装置の分解斜視図を示し、図２は制動装置の縦断正面図、図３は制動部の外観斜視図を示している。
【００１８】
まず、基本的構成について説明する。
図１、図２に示すように、上吊式の戸の制動装置１Ａは、走行ローラ１２を有するランナ１０と、ランナ１０より垂下引戸Ｄに固定される取付部２０と、レールＲに固着される制動力付与部材３０と、引戸Ｄが閉戸間際から閉戸までの間の動作工程の位置で制動力付与部材３０に当接して制動力を得る制動部４０と、を含んで構成されている。
【００１９】
ランナ１０は、ランナ本体１１と走行ローラ１２とを含んで構成され、下側に開口した略Ｃ形チャンネル状をなすレールＲに対し該レールＲの一端開口より内部に収容される。ランナ本体１１は、２輪を１軸の両端に備えた状態に２軸をレール方向に離れて軸支して計４輪の走行ローラ１２をレールＲの下端縁ｒ、ｒに乗って転動するように備えていると共に、２軸間に軸受部１１ａを備えている。
【００２０】
取付部２０は、ランナ本体１１の軸受部１１ａに軸上端部を回転可能に軸支されかつレールＲの下側の開口を通して垂下された取付部支持用の吊軸２１を備え、該吊軸２１を介してランナ１０に懸吊され、引戸Ｄのコーナー部の肉厚内に設けられた凹部Ｋに嵌入されビスねじ６１〜６３等により固定される（図１参照）。取付部２０は、調整ねじ２２、２３を回すことにより吊軸２１の垂線方向の傾きを調整し得ると共に高さ可変できる手動調整機能を備えている。取付部２０は、この実施形態では、特許文献１に記載されている吊車装置の取付部と略同一の構成を採用できるので、構成の詳細説明を省略する。
【００２１】
制動力付与部材３０は、樹脂成形体、あるいはアルミニウムの成形体であり、端部の厚みが薄く、中央部が所定の厚みを有したステック形状であり、両端部にビス穴が形成されていて、ビス６４等を用いてレールＲの内側天面の閉戸側の所定位置に締結される。
【００２２】
続いて、制動部４０について説明する。
図２、図３に示すように、制動部４０は、上部が開口された制動部ケース４１と、制動部ケース４１の両側面に傾斜した突条部としてかつ角柱状ブロックの別部材として設けられた被傾斜ガイド４２、４２と、制動部ケース４１に収容された摺接ブロック４３と、制動部ケース４１に収容され摺接ブロック４３を上方へ付勢するばね４４と、を含んで構成されている。
【００２３】
制動部４０は、ランナ本体１１の制動部収納孔１１ｂ内に緩く収容されている。ランナ本体１１の制動部収納孔１１ｂを形成している両側壁には傾斜ガイド（傾斜した長穴）１３、１３が形成されていて、制動部４０の両側面に備えた被傾斜ガイド４２、４２が傾斜ガイド１３、１３に嵌合支持され戸幅方向に案内される。傾斜ガイド１３、１３は、閉戸方向側が低く開戸方向側が高くなるように形成されている。従って、制動部４０は、傾斜ガイド１３、１３に係合案内され戸幅方向に移動可能である。
【００２４】
制動部４０は、この実施形態では、制動部ケース４１にばね４４と摺接ブロック４３を順に収容し、摺接ブロック４３を押し込んで該摺接ブロック４３の側面に開けたねじ穴（符号付けず）を制動部ケース４１の両側面に開けた縦長の長孔４５に合わせ、外方から長孔４５に臨んだねじ穴に脱出防止ねじピン４６を螺合し、これによって、摺接ブロック４３が脱出防止ねじピン４６の長孔内の上下方向のストロークだけ制動部ケース４１の上面の開口より出没可能・突出状態に付勢されている。
【００２５】
そして、ランナ本体１１の制動部収納孔１１ｂ内に制動部ケース４１を収容し、制動部ケース４１の両側面に設けた傾斜溝をランナ本体１１に形成された長孔である両側の傾斜ガイド１３に合わせ、外方から別部材（角柱状ブロック）とされた被傾斜ガイド４２を制動部収納孔１１ｂに嵌入しかつ傾斜溝に嵌入し固定用ねじ４７で固定され、もって、制動部４０がランナ本体１１の制動部収納孔１１ｂ内に収納され、制動部４０の両側の被傾斜ガイド４２が、制動部ケース４１の両側面に設けられ傾斜ガイド１３に係合案内される。
【００２６】
制動部４０は、ランナ本体１１に形成された上下に貫通した制動部収納孔１１ｂ内を移動可能に設けられ引戸Ｄが閉戸間際から閉戸までの間の動作工程の位置でばね４４により上方へ付勢する摺接ブロック４３が制動力付与部材３０に当接して制動力を得るように構成されている。
すなわち、制動部４０は、閉戸動作時及び開戸動作時に被傾斜ガイド４２が傾斜ガイド１３に係合案内されて制動部ケース４１が上下動することにより、制動力付与部材３０と当接している摺接ブロック４３の受けるばね４４からの力が変化して当接力の増減調整が行われ、閉戸動作工程では制動力付与部材３０に当接開始後の閉戸動作に応じて当該当接力を増大させながら制動力付与部材３０と摩擦摺動して一定の制動力を得るように構成され、かつ開戸動作工程では制動力付与部材３０と当接している間、当接力を減少させ制動力が減少するように構成されている（図１、図２参照）。
【００２７】
本発明の上吊式の戸の制動装置１Ａは、更に、ランナ本体１１に制動力調整機構５０Ａを備えている（図１、図２参照）。この制動力調整機構５０Ａは、被傾斜ガイド４２が前記傾斜ガイド１３に係合案内されて前記制動部ケース４１が高くなる側への該制動部ケース４１の移動端の位置を調整し得る構成であれば良い。
【００２８】
この制動力調整機構５０Ａは、戸の大きさ、重さ、その他使用状況に合わせて制動力を調整操作して閉戸動作時に戸が縦枠に当接する直前に最大に発生する最大制動力を適切に設定するために、被傾斜ガイド４２が傾斜ガイド１３に係合案内されて制動部ケース４１が高くなり摺接ブロック４３が制動力付与部材３０との当接圧力を高めて制動力が大きくなる側への該制動部ケース４１の移動端の位置を調整し得る機能、すなわち、制動力付与部材３０と当接していない位置での高さを調整し得る機能を備えた構成とされる。
【００２９】
具体的には、制動力調整機構５０Ａは、制動部ケース４１の開戸側側面に対向するスライドシャフト５１と、前記レールＲの下方に開口に臨んで設けられ前記スライドシャフト５１を前記制動部ケース４１の開戸側側面に当接させ該制動部ケース４１の開戸方向の移動端の位置を調整できる手動調整部５２と、を備えた構成である。
【００３０】
手動調整部５２は、この実施形態では、スライドシャフト５１の先端から一体に延びるねじ軸５２ａと、スライドシャフト５１の先端下側に対応した位置にスライドシャフト５１に直交する方向に設けられる手動回転軸５２ｂと、中心に雌ねじ部を有し該雌ねじ部がねじ軸５２ａに螺合されかつ軸方向移動不能に設けられた従歯車５２ｃと、手動回転軸５２ｂに被嵌固定された原歯車５２ｄと、手動回転軸５２ｂを回転するための手回し手段５２ｅと、を備えて構成されている。手回し手段５２ｅは、この実施形態では、手動回転軸５２ｂの端部に例えば６角面が形成されていると共に、ドライバーが係合して手動回転軸５２ｂを回転するための被係止凹部が形成され、いずれでも手回しできるようになっている。なお、ねじ軸５２ａは、ランナ本体１１の端面から延びる筒部１４に緩く収嵌されている。この構成にすると、部品点数が少なく組立が容易なメカニカル機構を実現でき、製作コストを低く抑えられ、故障が少ない制動力調整機構を実現できる。
【００３１】
スライドシャフト５１は、制動部収納孔１１ｂに係合し回転不能・スライド可能に設けられた非円形部５１ａと、非円形部５１ａの端面に設けられ制動部ケース４１の開戸側側面に対向する頭部５１ｂと、頭部５１ｂに接着された消音ゴム５１ｃとを備えてなる。なお、消音ゴム５１ｃを制動部ケース４１の開戸側側面に接着してもよい。
【００３２】
手動回転軸５２ｂの端部の手回し手段５２ｅにドライバーを係合し手動回転軸５２ｂを手回しすると、原歯車５２ｄが回転し、原歯車５２ｄが従歯車５２ｃを回転する。ここで、従歯車５２ｃと螺合されたねじ軸５２ａは、スライドシャフト５１と一体に設けられ、スライドシャフト５１の非円形部５１ａが制動部収納孔１１ｂに係合し回転不能・スライド可能に設けられているから、手動回転軸５２ｂを手回して従歯車５２ｃが回転すると、スライドシャフト５１が軸方向に移動する。従って、この制動力調整機構５０Ａは、被傾斜ガイド４２が前記傾斜ガイド１３に係合案内されて前記制動部ケース４１が高くなる側又は低くなる側への該制動部ケース４１の移動端の位置を調整し得るように構成されている。
【００３３】
続いて、この実施形態の上吊式の戸の制動装置の機能について図４〜図６を参照して説明する。
図４は、閉戸動作終了間際の状態を示し、まだ制動が行われていない。
図５は、閉戸動作終了の状態を示し、制動が行われている。
図６は、開度動作状態を示し、制動が終了間際の状態を示している。
上吊式の戸の制動装置１Ａは、図４の閉戸動作終了間際から図５の閉戸動作完了時まで、及び図５の閉戸から開戸開始動作時に、制動部４０の摺接ブロック４３が制動力付与部材３０に当接して、その摩擦抵抗が制動力となり、戸を円滑にかつ軽快に開閉することができ、戸が縦枠に当接する直前に制動力が発生して戸が縦枠に勢いよく衝突することを未然に防止できる。
【００３４】
特に、制動部４０が、ランナ本体１１の制動部収納孔１１ｂ内に戸幅方向に移動可能に設けられ被傾斜ガイド４２が傾斜ガイド１３に係合案内されているから、閉戸動作終了間際から閉戸動作完了時の間は、摺接ブロック４３と制動力付与部材３０との摩擦抵抗により、制動部４０（制動部ケース４１）が、ランナ本体１１の制動部収納孔１１ｂ内において、該戸Ｄの移動方向と反対方向に移動し、摺接ブロック４３がばね４４の付勢により上昇し制動部ケース４１からの突出高さを大きくするので制動力付与部材３０との摩擦抵抗が大きくなり大きな制動が得られる。
【００３５】
上記構成によれば、被傾斜ガイド４２が傾斜ガイド１３に係合案内されて制動部ケース４１が高くなる側又は低くなる側への該制動部ケース４１の移動端の位置を調整し得る制動力調整機構５０Ａをランナ本体１１に備えている。従って、制動力調整機構５０Ａを調整することにより、ランナ本体１１の制動部収納孔１１ｂ内における制動部４０（制動部ケース４１）の開戸方向に移動し当接停止する位置を可変設定できるので、戸の大きさ、重さ、その他使用状況に合わせ、制動力調整機構５０Ａを手動により調整することにより制動力を大きくしたい場合又は小さくすることができる。制動力調整機構５０Ａの調整は、図４に示すように、摺接ブロック４３が制動力付与部材３０から離れている状態で手動調整部５２を操作して行う。
【００３６】
例えば、戸の大きく、あるいは重量は大きいために、制動力を大きくしたい場合には、ランナ本体１１の制動部収納孔１１ｂ内における制動部４０の制動力調整機構５０Ａによる開戸方向の当接停止位置を開戸方向側に寄って設定する。すると、閉戸動作時にランナ本体１１の制動部収納孔１１ｂ内において、該戸Ｄの移動方向と反対方向に移動したときに、被傾斜ガイド４２が傾斜ガイド１３に係合案内されることにより制動部ケース４１が上昇し、摺接ブロック４３の制動部ケース４１からの突出高さが大きくなる位置で該制動部ケース４１が制動力調整機構５０Ａのスライドシャフト５１により当接停止されるから、摺接ブロック４３と制動力付与部材３０との摩擦抵抗が大きくなり制動部４０に大きな制動力が得られる。
【００３７】
反対に、制動力を小さくしたい場合には、制動部４０の開戸方向の当接停止位置を閉戸側に寄って設定する。すると、閉戸動作時にランナ本体１１の制動部収納孔１１ｂ内において、該戸Ｄの移動方向と反対方向に移動し、被傾斜ガイド４２が傾斜ガイド１３に係合案内されても、摺接ブロック４３が制動部ケース４１から小さく突出した位置で該制動部ケース４１が制動力調整機構５０Ａにより当接停止されるから、摺接ブロック４３と制動力付与部材３０との摩擦抵抗が小さくなり制動部４０に小さな制動力が得られる。
【００３８】
一方、開度動作時には、制動部４０は、摺接ブロック４３と制動力付与部材３０との摩擦抵抗により、ランナ本体１１の制動部収納孔１１ｂ内において、該戸Ｄの移動方向と反対方向に移動に移動され、被傾斜ガイド４２が傾斜ガイド１３の低い側に係合案内されるから、摺接ブロック４３がばね４４の付勢に抗して下降し制動部ケース４１からの突出高さを小さくするので制動力付与部材３０との摩擦抵抗が小さくなり、小さな制動力が得られ、制動力付与部材３０から離れるので異音を発生しない。制動力調整機構５０Ａは開度動作時には機能を発揮しない。
【００３９】
上記実施形態によれば、制動力調整機構５０Ａを備えたので、従来以上に、戸を一層円滑かつ軽快に開閉することができ、戸が縦枠に当接する直前に制動力が発生して戸Ｄが縦枠に勢いよく衝突することを一層適切に防止でき、戸Ｄの反動で跳ね返ることを防止できる。
【００４０】
上記実施形態によれば、戸の大きさ、重さ、その他使用状況に合わせて制動力調整機構５０Ａを調整操作して閉戸動作時に戸が縦枠に当接する直前に最大に発生する最大制動力を適切に設定できる。
【００４１】
〔第２の実施形態〕
第２の実施形態に係る上吊式の戸の制動装置について図７を参照して説明する。
この実施形態に係る上吊式の戸の制動装置１Ｂは、走行ローラ１２を有するランナ１０と、ランナ１０より垂下引戸Ｄに固定される取付部２０と、レールＲに固着される制動力付与部材３０と、引戸Ｄが閉戸間際から閉戸までの間の動作工程の位置で制動力付与部材３０に当接して制動力を得る制動部４０と、制動力調整機構５０Ｂを含んで構成されている。制動力調整機構５０Ｂが、第１の実施形態に係る上吊式の戸の制動装置１Ａの制動力調整機構５０Ａと相違しているが、この相違は、手回し手段の相異とクリック感生成機構の有無の相異である。
第１の実施形態では、手回し手段が、この実施形態では、手動回転軸５２ｂの端部に形成されたドライバーが係合して手動回転軸５２ｂを回転するための被係止凹部５２ｅであるのに対し、第２の実施形態では、手動回転軸５２ｂの端部に固定している回転用つまみ５２ｆである点が相違する。
また、クリック感生成機構が、第１の実施形態では設けられておらず、第２の実施形態では設けられている点が相違する。
図７に示すように、クリック感生成機構５３は、手動回転軸５２ｂに被嵌固定された１つの溝を有する溝付き円板５３ａと、溝付き円板５３ａにばね５３ｃによって押し付けられるボール５３ｂと、ブッシュねじ５３ｄとからなる。
クリック感生成機構５３は、回転用つまみ５２ｆを手回しして手動回転軸５２ｂを回転すると、溝付き円板５３ａは、手動回転軸５２ｂと一体に回転し、これに伴って、ボール５３ｂは、溝付き円板５３ａの１つの溝に勢いよく落ち込んで音と振動を伴うクリック感を手動回転軸５２ｂを介して手に伝えることができる。クリック感生成機構５３を備えると、手動回転軸５２ｂがどれだけの角度回転したかについて手に伝わる感触で分かる。
図７と図２との比較から分かるように、第２の実施形態に係る上吊式の戸の制動装置１Ｂは、上記相違点の構成以外は、第１の実施形態に係る上吊式の戸の制動装置１Ａと同一に構成されており、従って、上記相違点の構成以外の構成について、第１の実施形態と同一の符号を付し、説明は省略する。なお、第１の実施形態に係る上吊式の戸の制動装置１Ａについても、クリック感生成機構を備えることができる。
【００４２】
〔その他の実施形態〕
本発明は、上記の実施形態に限定されるものでなく、特許請求の範囲に記載された発明の要旨を逸脱しない範囲内での種々、設計変更した形態を技術的範囲に含むものである。
上記実施形態においては、上吊式引戸を例に説明したが、本発明はこれに限定されるものではなく、上吊式の扉体であれば適用可能であり折引戸であっても良い。制動力調整機構５０Ａは、ランナ本体１１に備えられ被傾斜ガイド４２が傾斜ガイド１３に係合案内されて制動部ケース４１が高くなる側への該制動部ケース４１の移動端の位置を調整し得る構成であれば足りる。具体的には、制動部ケース４１の開戸側側面に対向するスライドシャフト５１を備えていて、該スライドシャフト５１を制動部ケース４１の開戸側側面に対する離間距離を調整可能である手動調整部５２を備えていれば足りる。
【図面の簡単な説明】
【００４３】
【図１】実施形態に係る上吊式の戸の制動装置の分解斜視図である。
【図２】図１の上吊式の戸の制動装置の縦断正面図である。
【図３】図１の上吊式の戸の制動装置の要部である制動装置の斜視図である。
【図４】図１の上吊式の戸の制動装置の摺接ブロックが制動力付与部材に当接していないときの閉戸終了間際の動作状態を示す図である。
【図５】図１の上吊式の戸の制動装置の閉戸終了時の制動状態を示す図である。
【図６】図１の上吊式の戸の制動装置の開戸開始時の制動終了間際の動作状態を示す図である。
【図７】他の実施形態に係る上吊式の戸の制動装置の縦断正面図である。
【符号の説明】
【００４４】
１Ａ、１Ｂ  上吊式の戸の制動装置
Ｒ  レール
１０  ランナ
１１  ランナ本体
１１ｂ  制動部収納孔
１３  傾斜ガイド
２１  吊軸
２０  取付部
３０  制動力付与部材
４０  制動部
４１  制動部ケース
４２  被傾斜ガイド
４３  摺接ブロック
４４  ばね
５０Ａ、５０Ｂ  制動力調整機構
５１  スライドシャフト
５２  手動調整部
【図１】
2010090550.tif 000003
【図２】
2010090550.tif 000004
【図３】
2010090550.tif 000005
【図４】
2010090550.tif 000006
【図５】
2010090550.tif 000007
【図６】
2010090550.tif 000008
【図７】
2010090550.tif 000009